(57)【要約】【課題】使用者の意図しないズームモードに変更されるのを防止することができる撮像装置を提供する。【解決手段】撮像装置は、ズーム動作を行わせるズームスイッチとズームモードを切り替えるズーム動作モード切替スイッチとしての機能を併せ持つズームレバー２１を備え、ズームスイッチとズーム動作モード切替スイッチの動作方向を異ならせた。【選択図】図３
2008309880.tif 000002
【特許請求の範囲】
【請求項１】
回動自在なズームレバーと、
前記ズームレバーを第１の方向に回動させることでテレ方向のズーム動作を行わせるテレスイッチと、
前記ズームレバーを前記第１の方向と反対方向の第２の方向に回動させることでワイド方向のズーム動作を行わせるワイドスイッチと、
前記ズームレバーの回動中心と直交する方向に前記ズームレバーを押し込むことでズーム動作モードを切り替えるズーム動作モード切替スイッチとを有することを特徴とする撮像装置。
【請求項２】
前記撮像装置は少なくとも２つのズーム速度にてズーム動作を行うことができるものであって、前記ズーム動作モード切替スイッチによってズーム速度を切り替えることを特徴とする請求項１記載の撮像装置。
【請求項３】
前記撮像装置は光学ズームモードと電子ズームモードにてズーム動作を行うことができるものであって、前記ズーム動作モード切替スイッチによって光学ズームモードと電子ズームモードとを切り替えることを特徴とする請求項１記載の撮像装置。
【請求項４】
前記ズーム動作モード切替スイッチによって切り替えられたズーム動作モードを表示する表示手段を有することを特徴とする請求項１ないし３のいずれかに記載の撮像装置。
【請求項５】
選択されたズーム動作モードにおいて、選択されたズーム動作モード手段では所定のズーム方向への移動ができず、かつ、選択されていないズーム動作モードでは所定のズーム方向への移動が可能な場合に、その旨をユーザーに報知する報知手段を有することを特徴とする請求項３記載の撮像装置。
【発明の詳細な説明】
【技術分野】
【０００１】
本発明は、複数のズーム方式を有する撮像装置に関する。
【背景技術】
【０００２】
近年、撮像装置の普及に伴い、撮像装置の小型化・高性能化が進んできている。高性能化の１つの要素としてズームの高倍率化がある。光学ズームの高倍率を図るために、ズーム速度を複数有するものや、光学ズームと電子ズームを併用するものがある。しかしながら、複数のズームモードを搭載することによりユーザーの操作は従来よりも煩雑となった。
【０００３】
この問題を解決する手段として、特許文献１には、ズームスイッチを作動状態よりも更に押し込むことで、光学ズームと電子ズームの併用、あるいは、光学ズームから電子ズームへ切り替える技術が提案されている。また、ズームスイッチを作動状態よりも更に押し込むことで、高速ズームに切り替わる技術も公知である。
【特許文献１】特開平４−３７３３６８号公報
【発明の開示】
【発明が解決しようとする課題】
【０００４】
しかしながら、上記従来技術では、使用者が任意でズームモードを選択できないことや、使用者が意図せずにズームスイッチを強く押下してしまった際に、使用者が望まないズーム状態となってしまう欠点がある。
【０００５】
本発明の目的は、使用者の意図しないズームモードに変更されるのを防止することができる撮像装置を提供することにある。
【課題を解決するための手段】
【０００６】
上記目的を達成するために、本発明の撮像装置は、回動自在なズームレバーと、前記ズームレバーを第１の方向に回動させることでテレ方向のズーム動作を行わせるテレスイッチと、前記ズームレバーを前記第１の方向と反対方向の第２の方向に回動させることでワイド方向のズーム動作を行わせるワイドスイッチと、前記ズームレバーの回動中心と直交する方向に前記ズームレバーを押し込むことでズーム動作モードを切り替えるズーム動作モード切替スイッチとを有することを特徴とする。
【発明の効果】
【０００７】
本発明の撮像装置によって、使用者の意図しないズームモードに変更されるのを防止することができる。
【発明を実施するための最良の形態】
【０００８】
以下、本発明の実施の形態を図面を参照しながら詳細に説明する。
【０００９】
図１は、本発明の実施の形態に係る撮像装置の正面側斜視図、図２は、本発明の実施の形態に係る撮像装置の背面側斜視図である。
【００１０】
図１において、撮像装置１の前面部には、ストロボ２、レンズ３、ファインダー４、ズームレバー２１が配置されている。また、上面にはレリーズ５が配置されている。
【００１１】
図２において、撮像装置１の背面部には、ＬＣＤ６が配置され、撮像装置１の上面にはレリーズ５が配置されている。
【００１２】
図３は、図１、図２の撮像装置のズーム機構を示す図である。
【００１３】
図３において、ズームレバー２１、ズーム動作モード切替スイッチ片２２、テレスイッチ片２３、ワイドスイッチ片２４、スプリング２５、２６、回動軸２７が示される。
【００１４】
ズームレバー２１を、図において下方に押下した場合、ズーム動作モード切替スイッチ片２２が作動し、選択されているモードが光学ズームモードから電子ズームモードまたは電子ズームモードから光学ズームモードへと切り替わる。スプリング２５は、ズームレバー２１を元の位置に復帰させる。
【００１５】
ズームレバー２１を、回動軸２７を中心に回動自在であって、図において時計回り方向に倒す（回動させる）とテレスイッチ片２３がオン（作動）する。逆に、ズームレバー２１を、回動軸２７を中心に図において反時計回り方向に倒す（回動させる）とワイドスイッチ片２４がオンする。そして、各スイッチ片のオンにより選択されたモードにてズーム動作が実行される。スプリング２６は、ズームレバー２１を元の位置に復帰させる。
【００１６】
即ち、ズームレバー２１とテレスイッチ片２３とで、また、ズームレバー２１とワイドスイッチ片２３とでズームスイッチが構成され、ズームレバー２１とズーム動作モード切替スイッチ片２２とでズーム動作モード切替スイッチが構成される。
【００１７】
従って、ズーム手段としてのズームレバー２１は、ズーム動作を行わせるズームスイッチとズームモードを切り替えるズーム動作モード切替スイッチとしての機能を併せ持つ。そして、ズームスイッチとズーム動作モード切替スイッチの動作方向を異ならせている。
【００１８】
本実施の形態では、図１に示すように、ズームスイッチを構成するズームレバー２１の動作方向は、装置前面に倣う方向であり、ズーム動作モード切替スイッチを構成するズームレバー２１の動作方向は、装置内部へ押し込む方向である。
【００１９】
また、図３に示すように、ズームスイッチを構成するズームレバー２１の動作方向は、回動軸円の外周方向であり、ズーム動作モード切替スイッチを構成するズームレバー２１の動作方向は、回動軸２７と直交する方向である。
【００２０】
図４は、図１、図２の撮像装置によって実行されるズーム操作情報処理の手順を示すフローチャートである。
【００２１】
図４において、まず、ズームモードの切替判定（ズーム動作モード切替スイッチ片２２の入力判定）を行う（ステップＳ１０１）。そして、ユーザーが切替を選択した際には、ズームモード切替処理を行い（ステップＳ１０２）、ズームモードが変更されたことをＬＣＤ６に示すＬＣＤ表示処理を行う（ステップＳ１０３）。
【００２２】
次に、ワイドの判定、即ち、ワイドスイッチ片２４がオンか否かの判定が行われる（ステップＳ１０４）。ワイドモードであれば、選択モードが電子ズームか否かの判定を行う（ステップＳ１０５）。
【００２３】
電子ズームの場合は、電子ズームワイド端であるか否か（電子ズームによるワイド方向のズーム動作が可能か否か）の判定を行う（ステップＳ１０６）。電子ズームによるワイド方向のズーム動作が可能であれば、電子ズームによるワイド方向のズーム動作処理を行う（ステップＳ１０７）。
【００２４】
電子ズームワイド端でなければ、光学ズームがワイド端であるか否か（選択されていないズーム動作モードによるワイド方向への移動が可能であるか否か）の判定を行う（ステップＳ１０８）。選択されていないズーム動作モードによるワイド方向への移動が可能であれば、その旨ＬＣＤ６に表示する（ステップＳ１０９）。選択されていないズーム動作モードによるワイド方向への移動が可能でなければ、本処理を終了する。
【００２５】
ステップＳ１０５の判定で光学ズームの場合は、光学ズームのワイド端であるか否か（光学ズームによるワイド方向へのズーム動作が可能か否か）の判定を行う（ステップＳ１１０）。光学ズームによるワイド方向へのズーム動作が可能であれば、光学ズームによるワイド方向へのズーム動作処理を行う（ステップＳ１１１）。
【００２６】
光学ズームワイド端でなければ、電子ズームがワイド端であるか否か（選択されていないズーム動作モードによるワイド方向への移動が可能であるか否か）の判定を行う（ステップＳ１１２）。選択されていないズーム動作モードによるワイド方向への移動が可能であれば、その旨ＬＣＤ６に表示する（ステップＳ１１３）。選択されていないズーム動作モードによるワイド方向への移動が可能でなければ、本処理を終了する。
【００２７】
ステップＳ１０４の判定で、ワイドでなければ、テレの判定、即ち、テレスイッチ片２３がオンか否かの判定が行われる（ステップＳ１１４）。テレモードでなければ、本処理を終了する。
【００２８】
テレモードであれば、選択モードが電子ズームか否かの判定を行う（ステップＳ１１５）。
【００２９】
電子ズームの場合は、電子ズームのテレ端であるか否か（電子ズームによるテレ方向のズーム動作が可能か否か）の判定を行う（ステップＳ１１６）。電子ズームによるテレ方向のズーム動作が可能であれば、電子ズームによるテレ方向のズーム動作処理を行う（ステップＳ１１７）。
【００３０】
電子ズームのテレ端でなければ、光学ズームのテレ端であるか否か（選択されていないズーム動作モードによるテレ方向への移動が可能であるか否か）の判定を行う（ステップＳ１１８）。選択されていないズーム動作モードによるテレ方向への移動が可能であれば、その旨ＬＣＤ６に表示する（ステップＳ１１９）。選択されていないズーム動作モードによるテレ方向への移動が可能でなければ、本処理を終了する。
【００３１】
ステップＳ１１５の判定で光学ズームの場合は、光学ズームのテレ端であるか否か（光学ズームによるテレ方向のズーム動作が可能か否か）の判定を行う（ステップＳ１２０）。光学ズームによるテレ方向のズーム動作が可能であれば、光学ズームによるテレ方向のズーム動作処理を行う（ステップＳ１２１）。
【００３２】
光学ズームのテレ端でなければ、電子ズームのテレ端であるか否か（選択されていないズーム動作モードによるテレ方向への移動が可能であるか否か）の判定を行う（ステップＳ１２２）。選択されていないズーム動作モードによるテレ方向への移動が可能であれば、その旨ＬＣＤ６に表示する（ステップＳ１２３）。選択されていないズーム手段の移動が可能でなければ、本処理を終了する。
【００３３】
本実施の形態では、各種情報をＬＣＤ（報知手段）１０６に表示したが、ユーザーに各種情報を伝える手段としては、これに限るものではなく、例えば、音や振動でもよい。
【００３４】
選択されたズームモードにおいて、選択されたズームモード手段では所定のズーム方向への移動ができず、かつ、他のズームモード手段では所定のズーム方向への移動が可能な場合に情報伝達手段を利用する。即ち、他のズーム手段にて移動できる旨ユーザーに対して報知する。
【００３５】
高速、低速の複数のズーム速度を有する撮像装置においては、ズームレバー２１を時計回り方向または半時計回り方向に倒すと、テレスイッチ片２３またはワイドスイッチ片２４が作動し、現在選択されているズーム速度にてズーム手段の移動作業が実行される。ズームレバー２１を押下した場合、ズーム動作モード切替スイッチ片２２が作動し、選択されているズーム速度が切り替わる。
【００３６】
本発明の撮像装置は、回動自在なズームレバーと、ズームレバーを第１の方向に回動させることでテレ方向のズーム動作を行わせるテレスイッチとを備える。また、ズームレバーを第１の方向と反対方向の第２の方向に回動させることでワイド方向のズーム動作を行わせるワイドスイッチを備える。さらに、ズームレバーの回動中心と直交する方向にズームレバーを押し込むことでズーム動作モードを切り替えるズーム動作モード切替スイッチとを備える。
【００３７】
この構成により、所期の目的を達成することができる。
【図面の簡単な説明】
【００３８】
【図１】本発明の実施の形態に係る撮像装置の正面側斜視図である。
【図２】本発明の実施の形態に係る撮像装置の背面側斜視図である。
【図３】図１、図２の撮像装置のズーム機構を示す図である。
【図４】図１、図２の撮像装置によって実行されるズーム操作情報処理の手順を示すフローチャートである。
【符号の説明】
【００３９】
１  撮像装置
２  ストロボ
３  レンズ
４  ファインダー
５  レリーズ
２１  ズームレバー
２２  ズーム動作モード切替スイッチ片
２３  テレスイッチ片
２４  ワイドスイッチ片
２５  スプリング
２６  スプリング
２７  回動軸
【図１】
2008309880.tif 000003
【図２】
2008309880.tif 000004
【図３】
2008309880.tif 000005
【図４】
2008309880.tif 000006